(57)【特許請求の範囲】
【請求項１】
複数の第２の信号を受信するために無線局を動作する方法において、
前記無線局に前記第２の信号を送信するのに使用される、時間スロット、周波数及びチャネライゼーションコードのグループから選択される少なくとも１つを含むスケジューリングされたリソースのシーケンスを示す第１の信号を受信するステップと、
前記第１の信号の受信に応答して、前記スケジューリングされたリソースのシーケンスを使用して前記複数の第２の信号を受信するように前記無線局を適合させるステップと、
を有し、当該方法はさらに、
前記無線局が、前記複数の第２の信号の各々の受信の前に、前記無線局への送信のための前記第２の信号の変調及び符号化のグループから選択される少なくとも１つの送信パラメータを含む送信フォーマットが選択されることを可能にする受信信号品質の示度を送信するステップを有する方法。
【請求項２】
前記第２の信号を受信する所定の時間前に前記受信信号品質の示度を送信するステップを有する、請求項１に記載の無線局を動作する方法。
【請求項３】
前記受信信号品質が所定の基準と適合する場合に前記受信信号品質の示度の送信を控えるステップを有する、請求項１又は２に記載の無線局を動作する方法。
【請求項４】
前記所定の基準は、
前記受信信号品質が所定の品質閾値より下であること、
前記受信信号品質が所定の時間期間において所定の量より多く変化しないこと、
の１つである、請求項３に記載の方法。
【請求項５】
第１の無線局及び第２の無線局を有する通信システムを動作する方法において、請求項１ないし４のいずれか一項に記載の方法によって前記第１の無線局を動作するステップと、前記第２の無線局において、
前記第１の信号を送信するステップと、
前記第１の無線局により送信された前記受信信号品質の示度を受信するステップと、
前記第１の無線局に前記第２の信号を送信するための送信フォーマットを選択するのに前記受信信号品質の示度を使用するステップと、
を有する方法。
【請求項６】
複数の第２の信号を受信するための無線局において、
前記無線局に前記第２の信号を送信するのに使用される、時間スロット、周波数及びチャネライゼーションコードのグループから選択される少なくとも１つを含むスケジューリングされたリソースのシーケンスを示す第１の信号を受信する受信器手段と、
前記第１の信号の受信に応答して、前記スケジューリングされたリソースのシーケンスを使用して前記複数の第２の信号を受信するように前記受信器を適合させる制御手段と、
を有し、前記無線局は、
前記複数の第２の信号の各々の受信の前に、前記無線局への送信のための前記第２の信号の変調及び符号化のグループから選択される少なくとも１つの送信パラメータを含む送信フォーマットが選択されることを可能にする受信信号品質の示度を送信する無線局。
【請求項７】
前記制御手段が、前記第２の信号を受信する所定の時間前に前記受信信号品質の示度を送信するように構成される、請求項６に記載の無線局。
【請求項８】
前記制御手段は、前記受信信号品質が所定の基準に適合する場合に前記受信信号品質の示度の送信を控えるように構成される、請求項６又は７に記載の無線局。
【請求項９】
前記所定の基準は、
前記受信信号品質が所定の品質閾値より下であること、
前記受信信号品質が所定の時間期間において所定の量より多く変化しないこと、
の１つである、請求項８に記載の無線局。
【請求項１０】
請求項６ないし９のいずれか一項に記載の第１の無線局及び第２の無線局を有する通信システムにおいて、前記第２の無線局が、
前記第１の信号を送信する送信器手段と、
前記第１の無線局により送信された前記受信信号品質の示度を受信する受信器手段と、
前記第１の無線局に前記第２の信号を送信するための送信フォーマットを選択するのに前記受信信号品質の示度を使用するように構成される制御手段と、
を有する、通信システム。
【発明の詳細な説明】
【技術分野】
【０００１】
本発明は、無線局を動作する方法、通信システムを動作する方法、無線局及び通信システムに関する。
【背景技術】
【０００２】
ＵＭＴＳ（ユニバーサル・モバイル・テレコミュニケーション・システム）及びｃｄｍａ２０００のような移動体通信システムにおいて、チャネル品質インジケータ（ＣＱＩ）報告は、移動局（ＭＳ）から基地局（ＢＳ）に送信され、前記ＢＳがダウンリンクデータ伝送に対する適切な伝送フォーマット（例えば変調及び符号化方式）を選択するのを支援し、及び／又は前記ＢＳが異なるＭＳに対してデータ伝送をスケジューリングするのを支援する。
【０００３】
ＣＱＩ報告を伝送する以下の機構、すなわち、
ａ）周期的報告の開始時に前記ＭＳにシグナリングメッセージを送信し、前記報告の周期が変更されるべきであるか又は前記報告が終了される場合に他のシグナリングメッセージを送信することにより、規則的な周期的ＣＱＩ報告（例えばＵＭＴＳの高速ダウンリンクパケットアクセス（ＨＳＤＰＡ）において２ｍｓ毎ないし１６０ｍｓ毎）を送信するように前記ＭＳを構成すること、
ｂ）各受信されたデータパケットの後に単一のＣＱＩ報告を送信するように前記ＭＳを構成すること、
ｃ）各否定応答されたデータパケットの後に単一のＣＱＩ報告を送信するように前記ＭＳを構成すること、
ｄ）前記ＭＳから単一の１回限りのＣＱＩ報告を要求するためにシグナリングメッセージを使用すること、
が既知である。
【発明の開示】
【発明が解決しようとする課題】
【０００４】
本発明の目的は、改良された信号品質報告を提供することである。
【課題を解決するための手段】
【０００５】
本発明の第１の態様によると、無線局を動作する方法であって、前記無線局に第２の信号を送信するのに使用されるスケジューリングされたリソースを示す第１の信号を受信するステップと、前記第１の信号の受信に応答して、前記スケジューリングされたリソースを使用して前記第２の信号を受信し、前記第２の信号を受信する前に、受信信号品質の示度（indication）を送信するステップとを有する方法が提供される。
【０００６】
本発明は、時変チャネルにおいて、適合的変調及び符号化の効率的な使用及び効率的なダウンリンクスケジューリングが、最新のチャネル品質情報を必要とし、第２の信号の送信にリソースを割り当てるのに使用される前記第１の信号が、前記第２の信号の送信の前に受信信号品質の示度の送信を開始する追加の潜在的機能を提供することができるという理解に基づく。このように、このような示度の送信を開始する独立手段に対する要件が回避され、これにより信頼性を向上させ、効率を増大させ、前記示度は、前記第２の信号が送信される時間におけるチャネル状態をより良く表すことができ、信頼性を向上させ、効率を増大させる。
【０００７】
本発明の第２の態様によると、第１の無線局及び第２の無線局を有する通信システムを動作する方法であって、本発明の第１の態様によって前記第１の無線局を動作するステップと、前記第２の無線局において、前記第１の信号を送信するステップと、前記第１の無線局により送信された前記受信信号品質の示度を受信するステップと、前記第１の無線局に前記第２の信号を送信するための送信フォーマットを選択するのに前記受信信号品質の示度を使用するステップとを有する方法が提供される。
【０００８】
本発明の第３の態様によると、無線局であって、前記無線局に第２の信号を送信するのに使用されるスケジューリングされたリソースを示す第１の信号を受信する受信器手段と、前記第１の信号の受信に応答して、前記スケジューリングされたリソースを使用して前記第２の信号を受信し、前記第２の信号の受信の前に、受信信号品質の示度を送信するように前記受信器を適合させる制御手段とを有する無線局が提供される。
【０００９】
本発明の第４の態様によると、本発明の第３の態様による第１の無線局及び第２の無線局を有する通信システムであって、前記第２の無線局が、前記第１の信号を送信する送信器手段と、前記第１の無線局により送信された前記受信信号品質の示度を受信する受信器手段と、前記第１の無線局に前記第２の信号を送信するための送信フォーマットを選択するのに前記受信信号品質の示度を使用するように構成される制御手段とを有する、通信システムが提供される。
【００１０】
オプションとして、前記第１の信号は、前記無線局に第２の信号のシーケンスを送信するのに使用されるスケジューリングされたリソースのシーケンスを示し、前記第１の信号の受信に応答して、前記無線局は、前記スケジューリングされたリソースのシーケンスを使用して前記第２の信号を受信し、各第２の信号の受信の前に、受信信号品質の示度を送信するように構成される。これは、データのシーケンスが周期的に送信されることを必要とされる場合に必要とされるシグナリングの量を減少することにより有利であることができる。オプションとして、前記シーケンスは周期的である。
【００１１】
オプションとして、前記無線局は、前記又は各第２の信号を受信する所定の時間前に前記受信信号品質の示度を送信する。これは、前記受信信号品質の示度が、前記又は各第２の信号が送信される場合の前記信号品質を表すことを保証する点で有利であることができる。
【００１２】
オプションとして、前記無線局は、受信信号品質が所定の基準に適合する場合に前記受信信号品質の示度の送信を控えることができる。これは、信号品質情報があまり重要でない場合に送信されるシグナリングの量を減少することにより有利であることができる。前記所定の基準は、第１の例として、前記受信信号品質が所定の品質閾値より下である場合、又は第２の例として、前記受信信号品質が所定の時間期間において所定の量より多く変化しない場合でありうる。
【００１３】
本発明は、ここで添付の図面を参照して例によって説明される。
【発明を実施するための最良の形態】
【００１４】
図１を参照すると、第１の無線局１００及び第２の無線局２００を有する通信システムのブロック概略図が示される。
【００１５】
第１の無線局１００は、リソーススケジューリング信号を受信し、第２の無線局２００により送信されたデータパケットを受信する受信器４０を有する。受信器４０は、アンテナ４５に結合された入力部と、前記受信されたデータパケットを復号する復号器５０に結合された出力部とを有する。受信器４０は、リソーススケジューリング信号に応答して前記スケジューリングされたリソースを使用して前記データパケットを受信するようにコントローラ８０により適合される。例えば、受信器４０は、スケジューリングされた時間に作動される（及び他の時間に電力を節約する）ことができるか、所定の周波数上で受信するように構成されることができるか、又は所定のチャネライゼーションコードを使用して受信するように構成されることができる。復号されたデータは、前記復号器の出力部５５に供給される。復号器５０の出力部に結合されるのは、前記復号の結果に依存して、複数の応答の１つを選択するように構成されるセレクタ６０である。例えば、前記復号が成功である場合、セレクタ６０は、肯定応答を選択することができるのに対し、前記復号が例えばエラーにより不成功である場合、セレクタ６０は、否定応答を選択することができる。セレクタ６０の出力部は、符号化器６５の入力部に結合され、符号化器６５は、前記応答を符号化し、第２の無線局２００に対するアンテナ４５を介した送信のために前記符号化された応答を送信器７０に供給する。受信器４０は、符号化器６５により符号化され、送信器７０により第２の無線局２００に送信されるＣＱＩ報告を生成するコントローラ８０に受信信号品質の示度を供給する。コントローラ８０は、前記ＣＱＩ報告の送信時間を制御するように構成される。前記送信のタイミングは、以下に詳細に記載される。
【００１６】
第２の無線局２００は、送信用のデータを受信する入力部１０と、前記送信用のデータを符号化する符号化器１５とを有する。符号化器１５の出力部は、送信器２０の入力部に結合され、前記送信器の出力部はアンテナ２５に結合される。アンテナ２５に結合され、第１の無線局１００から応答信号及びＣＱＩ報告を受信する受信器３０が存在する。受信器３０及び符号化器１５に結合され、前記受信された応答信号に依存して、以前に送信されたデータパケットが再送信されるべきか又は新しいデータパケットが送信されるべきかを決定するように構成されるコントローラ３５が存在する。コントローラ３５は、データパケットの送信のための送信フォーマット、例えば変調及び／又は符号化を選択するのに前記受信されたＣＱＩ報告を使用するように更に構成される。コントローラ３５は、時間スロット、周波数又はチャネライゼーションコードのような前記データパケットの送信のためのリソースを選択及びスケジューリングするように更に構成される。
【００１７】
図２を参照すると、第２の無線局２００により送信されるリソーススケジューリング信号Ｒ及びデータパケットＤ１、Ｄ２、並びに第１の無線局１００により送信される受信信号品質の示度（ＣＱＩで示され、ＣＱＩ報告と称される）及び肯定応答ＡＣＫが示される。
【００１８】
ＣＱＩは、チャネル状態、チャネル伝達関数、到来の角度、チャネルインパルス応答又は経路損失のような無線チャネルの１以上の特性の示度を追加的に又は代替的に有しうる。
【００１９】
リソース割り当て信号Ｒは、時間t0に送信される。データパケットＤ１は、時間t2に送信される。データパケットＤ１の送信の直前に、無線局１００は、時間t1にＣＱＩ報告を送信する。したがって、前記ＣＱＩ報告により示される前記受信信号品質は、データパケットＤ１が送信される場合のチャネル状態を表す。データパケットＤ１は、第１の無線局１００により成功裏に復号され、これに応答して、肯定応答ＡＣＫが時間t3に送信される。
【００２０】
このプロセスは、新しいデータパケットが送信されることを必要とされる場合に繰り返されることができる。しかしながら、オプションとして、データパケットのシーケンスが送信されることを必要とされる場合に、リソーススケジューリング信号Ｒは、（オプションとして周期的でありうる）リソースのシーケンスを示すのに使用されることができ、これによりリソーススケジューリング信号の送信のシーケンスを防ぐことができる。これは、時間t4における直前の関連したＣＱＩ報告及び時間t6に送信される肯定応答を伴う時間t5における第２のデータパケットＤ２の送信により図２に示される。
【００２１】
オプションとして、前記無線局は、前記データパケットを受信する所定時間、t2-t1及びt5-t4前に前記ＣＱＩ報告を送信する。
【００２２】
オプションとして、第１の無線局１００は、前記受信信号品質が所定の基準と適合する場合に前記ＣＱＩ報告の送信を控えることができる。これは、減少されたシグナリング及び増大されたシステム効率をもたらすことができる。第１の例として、前記所定の基準は、前記受信信号品質が所定の品質閾値より下に落ちる場合であることができ、この場合、第２の無線局２００は、チャネル状態が変化するまでデータパケットの送信を保留することができ、データを送信する異なる送信先を選択することができる。第２の例として、前記所定の基準は、前記受信信号品質が特定の時間期間において所定の量より多くは変化しないことであってもよく、この場合、第２の無線局２００は、以前に使用された送信フォーマットを使用し続けることができる。前記特定の時間期間は、例えば、第２の無線局２００により第１の無線局１００にシグナリングされる時間期間であってもよく、又はＣＱＩ報告の以前の送信から経過した時間であってもよい。
【００２３】
本発明は、基地局から移動局へ、若しくは移動局から基地局へ、又はピアノード間のデータパケット送信に適用可能である。
【００２４】
本明細書及び請求項において、要素に先行する単語"１つの"は、複数のこのような要素の存在を除外しない。更に、単語"有する"は、記載された要素又はステップ以外の要素又はステップの存在を除外しない。請求項における括弧内の参照符号の包含は、理解を助けることを意図され、限定することを意図されない。
【００２５】
本開示を読むことにより、他の修正例が当業者に明らかである。このような修正例は、既にここに記載されたフィーチャの代わりに又は加えて使用されることができ、無線通信の分野において既知である他のフィーチャを含みうる。
【図面の簡単な説明】
【００２６】
【図１】通信システムのブロック概略図である。
【図２】リソース割り当てメッセージ、データパケット、肯定応答及びＣＱＩ報告の送信を示すタイミング図である。
【図１】
0005427025.tif 000002
【図２】
0005427025.tif 000003